(57)【要約】  【課題】  カミソリを髭に押し当てながら、電気動力を用いてカミソリを小刻みに往復運動させることで、濃い髭の場合も、効率良く剃ることのできる電動カミソリを提案する。【解決手段】  モータ３により駆動されるクランク機構を内蔵した本体１と、本体１の先端部に突設されて本体１のクランク機構に連動して軸方向に往復運動をする出力軸６と、出力軸６に着脱自在に接続されたカミソリヘッド７とを備える。また、カミソリヘッド７の支軸部８または出力軸６と支軸部８の接続部にその軸芯を中心に少なくとも１８０度の回転を可能にする回転継ぎ手１１を備える。同様に、前記カミソリヘッド７の支軸部８または出力軸６と支軸部８の接続部に前後方向に屈曲可能な屈曲継ぎ手１２を備える。【選択図】  図５
2006122270.tif 000002
【特許請求の範囲】
【請求項１】
先端に突設された出力軸を軸方向に往復駆動する本体と、
前記出力軸に着脱自在に接続されたカミソリヘッドと、
を備えたことを特徴とする電動カミソリ。
【請求項２】
モータにより駆動されるクランク機構を内蔵した本体と、
本体の先端部に突設されて本体のクランク機構に連動して軸方向に往復運動をする出力軸と、
該出力軸に着脱自在に接続されたカミソリヘッドと、
を備えたことを特徴とする電動カミソリ。
【請求項３】
請求項２に記載の電動カミソリにおいて、
前記クランク機構は、クランクの駆動軸に歯面を外側に傾斜させた小径の傘歯車と歯面を内側に傾斜させた大径の傘歯車とを同軸同一平面状に配設し、該駆動軸と直交する方向にモータの出力軸を前後方向２位置の移動を可能に配設し、該出力軸の先端に前記大小の傘歯車にそれぞれ噛合する１対の駆動側傘歯車を背中合わせに取付け、前記出力軸を前進させた場合は前記小径の傘歯車に駆動側傘歯車の前面側を噛合させ、前記出力軸を後退させた場合は前記大径の傘歯車に駆動側傘歯車の後面側を噛合させることで、クランクの回転数を２段階切り換え可能にしたことを特徴とする電動カミソリ。
【請求項４】
請求項１乃至３のいずれかに記載の電動カミソリにおいて、
前記カミソリヘッドの支軸部または出力軸と支軸部の接続部または出力軸の先端部にその軸芯を中心に少なくとも１８０度の回転を可能にする回転継ぎ手を備えたことを特徴とする電動カミソリ。
【請求項５】
請求項１乃至４のいずれかに記載の電動カミソリにおいて、
前記カミソリヘッドの支軸部または出力軸と支軸部の接続部または出力軸の先端部に前後方向に屈曲可能な屈曲継ぎ手を備えたことを特徴とする電動カミソリ。
【請求項６】
請求項１乃至５のいずれかに記載の電動カミソリにおいて、
前記出力軸に着脱自在に歯ブラシヘッドを接続して、歯磨きを可能にしたことを特徴とする電動カミソリ。
【請求項７】
請求項４または５に記載の電動カミソリを用いて、前記カミソリヘッドの回転継ぎ手を１８０度回転させることにより、または前記カミソリヘッドの屈曲継ぎ手を屈曲させることにより、刃の方向を前記出力軸に対して直角または直角に近い角度で交差させた状態で髭に押し当て、髭の軸方向に刃を往復運動させながら剃ることを特徴とするヒゲソリ方法。
【発明の詳細な説明】
【技術分野】
【０００１】
本発明は、Ｔ字形をしたカミソリヘッドを着脱自在に本体に装着して使用する電動カミソリおよびヒゲソリ方法に関する。
【背景技術】
【０００２】
成年男性のヒゲソリ用として電気カミソリ（シェーバー）が広く普及しているが、電気カミソリでは、うぶげやうぶげのように細い髭は、剃ることができずの残ってしまう。また、髭が濃い場合も、電気カミソリでは、深剃りが充分にできない等の問題がある。そのため、電気カミソリに満足できない場合は、手動で剃る安全カミソリ等が使用されている。安全カミソリは、確実に剃ることができるものの、手動であるため、操作が面倒であり、できれば、安全カミソリについても電動で使用できるものの出現が望まれていた。そこで、カミソリ刃に振動を与えて髭を剃る電動カミソリとして、特許文献１に記載の「振動剃刀具」が提案されている。これは、電池とモータを内臓したバイブレータの振動をカミソリ刃に伝えて、髭を剃るものである。
【特許文献１】特開平１１−１５１３８７号公報
【発明の開示】
【発明が解決しようとする課題】
【０００３】
しかしながら、上述した「振動剃刀具」では、バイブレータで発生する振動が、バイブレータの上端に突出したステーを、その長手方向と直角の平面内に回転させるものであるから、ステー先端の刃も円運動をするものであり、切れ味の点で満足できるものではなかった。ところで、本願発明者は、理容師、美容師として長年の間、カミソリを用いたヒゲソリの経験があり、その経験からすると、小刻みにカミソリを動かしながら髭に押し当てることで、髭の濃い場合も、良好に剃れることを会得した。そこで、本発明は、カミソリ
を髭に押し当てながら、電気動力を用いてカミソリを小刻みに往復運動させることで、濃い髭の場合も、効率良く剃ることのできる電動カミソリを提案することを目的とした。さらには、その電動カミソリを用いた、従来にない新規なヒゲソリ方法を提案することを目的とした。
【課題を解決するための手段】
【０００４】
上記課題を解決するために、本発明の電動カミソリは、先端に突設された出力軸を軸方向に往復駆動する本体と、前記出力軸に着脱自在に接続されたカミソリヘッドとを備えたことを特徴とする。
また、本発明の電動カミソリは、モータにより駆動されるクランク機構を内蔵した本体と、本体の先端部に突設されて本体のクランク機構に連動して軸方向に往復運動をする出力軸と、該出力軸に着脱自在に接続されたカミソリヘッドとを備えたことを特徴とする。
【０００５】
なお、前記クランク機構は、クランクの駆動軸に歯面を外側に傾斜させた小径の傘歯車と歯面を内側に傾斜させた大径の傘歯車とを同軸同一平面状に配設し、該駆動軸と直交する方向にモータの出力軸を前後方向２位置の移動を可能に配設し、該出力軸の先端に前記大小の傘歯車にそれぞれ噛合する１対の駆動側傘歯車を背中合わせに取付け、前記出力軸を前進させた場合は前記小径の傘歯車に駆動側傘歯車の前面側を噛合させ、前記出力軸を後退させた場合は前記大径の傘歯車に駆動側傘歯車の後面側を噛合させることで、クランクの回転数を２段階切り換え可能にしたことを特徴とする。
【０００６】
また、前記カミソリヘッドの支軸部または出力軸と支軸部の接続部または出力軸の先端部にその軸芯を中心に少なくとも１８０度の回転を可能にする回転継ぎ手を備えることが好ましい。
また、前記カミソリヘッドの支軸部または出力軸と支軸部の接続部または出力軸の先端部に前後方向に屈曲可能な屈曲継ぎ手を備えたことを特徴とする。
また、前記出力軸に着脱自在に歯ブラシヘッドを接続して、歯磨きを可能にすることもできる。
ここで、本発明に係る電動カミソリを用いて、前記カミソリヘッドの回転継ぎ手を１８０度回転させることにより、または前記カミソリヘッドの屈曲継ぎ手を屈曲させることにより、刃の方向を前記出力軸に対して直角または直角に近い角度で交差させた状態で髭に押し当て、髭の軸方向に刃を往復運動させながら剃ることが可能である。
【発明の効果】
【０００７】
以上述べたように本発明によれば、軸方向に往復運動する出力軸にカミソリヘッドを取り付けたことで、カミソリヘッドを小刻みに往復させることが可能となり、効率よく髭を剃ることが可能となる。また、髭の軸方向に、刃を往復運動させることでも同様に、効率よく髭を剃ることが可能となる。
【発明を実施するための最良の形態】
【０００８】
以下、図に基づいて本発明の実施形態を説明する。
図１は本発明に係る電動カミソリの第１の実施形態を示す外観図である。図において、１は電動カミソリの本体であり、内部に電池２、モータ３を収納し、モータ３の出力を傘歯車４から傘歯車５に伝達し、傘歯車５の部分に形成されたクランク機構を介して、出力軸６を上下方向に往復駆動する。出力軸６の上端には、Ｔ字形をしたカミソリヘッド７の支軸部８の基端部が着脱自在に嵌合されている。支軸部８は、カミソリヘッド７の端が出力軸６の往復運動方向に向くように、くの字形に屈曲されている。
【０００９】
この状態で、本体１の電源をオンすると、モータ３が回転して、その結果、出力軸６が上下方向に往復運動して、カミソリヘッド７が上下往復運動する。上下往復運動するカミソリヘッド７を顔面に押し当て、本体１を下方向に移動すると、カミソリヘッド７の刃９が、進行方向に小刻みに往復運動しながら髭に押し当てられて、髭を剃ることができる。その状態を模式的に示したのが、図７の説明図であり、刃９が髭Ｈに対して、その軸方向に直角に近い角度すなわち水平方向に往復運動しながら進行していくことで、髭Ｈを確実かつ効率良く切断することが可能となる。
【００１０】
図２および図３は本発明に係る電動カミソリの第２の実施形態を示す外観図である。この実施形態は、図１のカミソリヘッド７の支軸部８の途中に、軸芯を中心に少なくとも１８０度の回転が可能な回転継ぎ手１１を設けたものである。他は、図１と同一構造であるので、同一部材には同一符号を付して、詳細な説明は省略する。図２では、カミソリヘッド７の角度を、図１と同じ方向にしている場合であり、図１の場合と同様に、本体１を下方向に移動すると、カミソリヘッド７の刃９が、進行方向に小刻みに往復運動しながら髭に押し当てられて、髭を剃ることができる。
【００１１】
図３は、図２に示されたカミソリヘッド７の角度を、回転継ぎ手１１により、１８０度回転させた状態を示す。この状態で、本体１の電源をオンすると、モータ３が回転して、出力軸６が上下方向に往復運動して、カミソリヘッド７が上下往復運動する。上下往復運動するカミソリヘッド７を顔面に押し当て、本体１を左方向に移動すると、カミソリヘッド７の刃９が、小刻みに上下往復運動しながら髭に押し当てられて、髭を剃ることができる。その状態を模式的に示したのが、図８の説明図であり、刃９が髭Ｈに対して、その軸方向と略同じ方向すなわち垂直方向に往復運動しながら進行していくことで、髭Ｈを確実かつ効率良く切断することが可能となる。
【００１２】
図４は本発明に係る電動カミソリの第３の実施形態を示す外観図である。この実施形態は、図２の回転継ぎ手１１の代わりに、前後方向に屈曲可能な屈曲継ぎ手１２を設けたものである。他は、図１と同一構造であるので、同一部材には同一符号を付して、詳細な説明は省略する。図中の実線で示したカミソリヘッド７の位置では、図１の場合と同様に、本体１を下方向に移動すると、カミソリヘッド７の刃９が、進行方向に小刻みに往復運動しながら髭に押し当てられて、髭を剃ることができる。次に、屈曲継ぎ手１２により、カミソリヘッド７を反時計方向に略９０度回動させた、図中の仮想線で示した位置では、図３の場合とは、左右反対方向になるが、本体１を右方向に移動すると、カミソリヘッド７の刃９が、小刻みに上下往復運動しながら髭に押し当てられて、髭を剃ることができる。
【００１３】
図５は本発明に係る電動カミソリの第４の実施形態を示す外観図である。この実施形態は、図４の屈曲継ぎ手１２の代わりに、より回動範囲の広い屈曲継ぎ手１３を、支軸部８の屈曲部に設けたものである。他は、図１と同一構造であるので、同一部材には同一符号を付して、詳細な説明は省略する。図中の実線で示したカミソリヘッド７Ａの位置では、図１の場合と同様に、本体１を下方向に移動すると、カミソリヘッド７Ａの刃９が、進行方向に小刻みに往復運動しながら髭に押し当てられて、髭を剃ることができる。
【００１４】
次に、屈曲継ぎ手１３により、カミソリヘッド７を反時計方向に略９０度回動させた、図中の仮想線で示したカミソリヘッド７Ｂの位置では、図４の場合と同様に、本体１を右方向に移動すると、カミソリヘッド７Ｂの刃９が、小刻みに上下往復運動しながら髭に押し当てられて、髭を剃ることができる。次に、更に、屈曲継ぎ手１３により、カミソリヘッド７を反時計方向に略９０度回動させた、図中の仮想線で示したカミソリヘッド７Ｃの位置では、カミソリヘッド７Ａの位置とは、反対方向に、本体１を上方向に移動すると、カミソリヘッド７Ｃの刃９が、進行方向に小刻みに往復運動しながら髭に押し当てられて、髭を剃ることができる。
【００１５】
なお、図示しないが、第５の実施形態として、カミソリヘッドの支軸部の途中に、回転継ぎ手と屈曲継ぎ手の両方を備えたものがある。この場合は、カミソリヘッドの刃の方向と往復運動方向の組み合わせが任意となるので、顔面での位置や、本体の顔面に対する角度等に応じて、最適な状態にして髭を剃ることが可能となる。また、本発明の電動カミソリでは、髭の濃さ等に応じて、往復運動速度を速くしたり遅くしたりすることが好ましい場合がある。そこで、クランク機構に、速度を切り換える構造を備えた。
【００１６】
図６は、クランク機構に設けた速度切り換え機構を示し、図（ａ）が外観図であり、図（ｂ）が図（ａ）の断面図である。図示されるように、モータ３の出力軸２１の先端に、ソロバン玉の形状をして前後に傘歯車を刻設した駆動歯車２２を取り付ける。この駆動歯車２２の側面に、駆動歯車２２の前面の歯面に噛合する小径の傘歯車２３と、駆動歯車２２の後面の歯面に噛合する大径の傘歯車２４とを、同軸同一平面状に一体的に形成した従動歯車２５が配設されている。傘歯車２３の上面の偏心した位置にクランクピン２６が突設されて、出力軸６の端部に揺動自在に連結されている揺動軸２７のピン孔に嵌合されている。
【００１７】
ここでモータ３は、図示しない移動機構により、前後方向の２段階に位置調整が可能である。モータ３が前進位置にある場合は、図示されように、駆動歯車２２の前の歯面が小径の傘歯車２３に噛合して、従動歯車２５を高速で回転駆動する。モータ３が後退位置にある場合は、駆動歯車２２の後の歯面が大径の傘歯車２４に噛合して、従動歯車２５を低速で回転駆動する。その結果、モータ３の位置を前後に切り換えることで、カミソリヘッドの往復運動の速度を、高速と低速に切り換えることが可能となる。なお、図示しないが、カミソリヘッドの往復運動の速度は電気回路により切り換える構成とすることも可能である。
【００１８】
また、本発明に係る電動カミソリは、出力軸がその軸方向に往復運動をするのであるから、出力軸に取り付けられるカミソリヘッドの代わりに、歯ブラシヘッドを取り付けると、電動歯ブラシとしても使用可能である。すなわち、洗面所に、本発明に係る電動カミソリを１台備えておき、同時にカミソリヘッドと歯ブラシヘッドを備えおいて、互いに取り替えることで、歯磨きとヒゲソリとに兼用することも可能である。
【産業上の利用可能性】
【００１９】
本発明に係る電動カミソリは、ヒゲソリ用として使用する以外に、ヘッドを交換して、歯磨きにも使用可能である。
【図面の簡単な説明】
【００２０】
【図１】本発明に係る電動カミソリの第１の実施形態を示す外観図である。
【図２】本発明に係る電動カミソリの第２の実施形態を示す外観図である。
【図３】本発明に係る電動カミソリの第２の実施形態を示す外観図である。
【図４】本発明に係る電動カミソリの第３の実施形態を示す外観図である。
【図５】本発明に係る電動カミソリの第４の実施形態を示す外観図である。
【図６】クランク機構に設けた速度切り換え機構を示す外観図および断面図である。
【図７】カミソリヘッドの刃の動作説明図である。
【図８】カミソリヘッドの刃の動作説明図である。
【符号の説明】
【００２１】
１  電動カミソリの本体
２  電池
３  モータ
４，５  傘歯車
６  出力軸
７  カミソリヘッド
７Ａ  カミソリヘッド
７Ｂ  カミソリヘッド
７Ｃ  カミソリヘッド
８  支軸部
９  刃
１１  回転継ぎ手
１２，１３  屈曲継ぎ手
２１  出力軸
２２  駆動歯車
２３，２４  傘歯車
２５  従動歯車
２６  クランクピン
２７  揺動軸  
Ｈ  髭
【図１】
2006122270.tif 000003
【図２】
2006122270.tif 000004
【図３】
2006122270.tif 000005
【図４】
2006122270.tif 000006
【図５】
2006122270.tif 000007
【図６】
2006122270.tif 000008
【図７】
2006122270.tif 000009
【図８】
2006122270.tif 000010